(57)【要約】      （修正有）【課題】ドア閉塞時のエネルギ(衝撃)の吸収が動作信頼性高く行え、コンパクトな加熱調理機を提供する。【解決手段】加熱調理機Ｋは、収容された被加熱物が加熱される加熱室と、回転することで加熱室の開口部を開閉するドア１０と、ドア１０が閉塞するように弾性力を与える弾性部材ｓ１と、加熱室より下方に配置され、ドア１０が閉塞する際のエネルギまたは衝撃を減衰する減衰部材９と、ドア１０に回転自在に支持され、弾性部材ｓ１による弾性力を受けるとともに、ガイド部材７に案内され移動する第１部材６と、回転自在に支持され、ドア１０が閉塞するに際して、第１部材６の動作が伝達されるとともに減衰部材９に当接して当該動作に抗する減衰力を受ける第２部材８とを備え、ドア１０が開口部を閉塞するに際して、閉塞の動作に抗する減衰部材９による減衰力を、第２部材８と第１部材６とを介してドア１０に与えている。【選択図】図４
2015203522.tif 000002
【特許請求の範囲】
【請求項１】
収容された被加熱物が加熱される加熱室と、
回転することで前記加熱室の開口部を開閉するドアと、
前記ドアが閉塞するように弾性力を与える弾性部材と、
前記加熱室より下方に配置され、前記ドアが閉塞する際のエネルギまたは衝撃を減衰する減衰部材と、
前記ドアに回転自在に支持され、前記弾性部材による前記弾性力を受けるとともに、ガイド部材に案内され移動する第１部材と、
回転自在に支持され、前記ドアが閉塞するに際して、前記第１部材の動作が伝達されるとともに前記減衰部材に当接して当該動作に抗する減衰力を受ける第２部材とを備え、
前記ドアが前記開口部を閉塞するに際して、前記閉塞の動作に抗する前記減衰部材による前記減衰力を、前記第２部材と前記第１部材とを介して前記ドアに与える
ことを特徴とする加熱調理機。
【請求項２】
前記減衰部材は、オイルダンパであり、
前記オイルダンパの軸部が下方に向けられるとともに、前記オイルダンパのシリンダ部が上方に向けてケース内に嵌入されて取り付けられ、
前記第２部材は、その支持位置より後方に重心を有し、その自重により前記オイルダンパのシリンダ部に当接して上方から下方に向けて力を加える
ことを特徴とする請求項１に記載の加熱調理機。
【請求項３】
前記減衰部材は、前記被加熱物を加熱する加熱部を冷却する冷却空気が流れる風洞に近接して設けられる
ことを特徴とする請求項１に記載の加熱調理機。
【請求項４】
前記第１部材と前記第２部材との間に、前記第１部材と前記第２部材の何れかが摺動する摺動部材を備える
ことを特徴とする請求項１に記載の加熱調理機。
【請求項５】
前記ドアと前記弾性部材と前記減衰部材と前記ガイド部材と前記第１部材と前記第２部材とは、同一の支持部材で支持される
ことを特徴とする請求項１に記載の加熱調理機。
【発明の詳細な説明】
【技術分野】
【０００１】
本発明は、加熱調理機に関する。
【背景技術】
【０００２】
従来、オーブンレンジ等の加熱調理機は、加熱調理時に熱風やマイクロ波の漏れを防止するため、ドアの閉塞時には加熱室の手前側の開口部にドアをドア開閉手段により密着させている。
【０００３】
ドア開閉手段は、ドアに閉塞力を加える引張りバネと、引張りバネのバネ力をドアに伝達するアームと、外装を成すキャビネットに固定される回転自在なローラとを有して構成されている。
【０００４】
アームは一方端をドアに回転自在に支持され、他方端には引張りバネが係合されており、その中央部の幅方向の下端面にローラが接触している。
アームは、回転自在なローラに接触していることから、アームはローラの回転によりスムーズに前後方向に移動する。
【０００５】
また、アームの一端を力点として加わるバネ力は、アームとローラの接触点をモーメントの支点として、ドアとアームの固定点を作用点としてドアを閉塞する方向に作用する。
これにより、引張りバネのバネ力によってドアを閉塞する力を付与できる。
【先行技術文献】
【特許文献】
【０００６】
【特許文献１】特開２００２−２２８１６１号公報
【特許文献２】特許第４３３７２４３号公報(図１〜図５等)
【発明の概要】
【発明が解決しようとする課題】
【０００７】
しかし、上述の従来の構造ではドアの閉塞過程において常に引張り力のバネ力が作用するため、加熱室の開口部を閉塞する直前のドアの閉塞速度が大きく、ドアを閉塞する際に手を離してドアを閉めると衝撃音が発生する場合がある。
【０００８】
そこで、特許文献２には、ドアの閉塞時の急な動作を緩慢にするダンパを設けることが記載されている。しかし、ダンパは、高温(例えば、１１０℃)となる加熱室の側方に隣接して設けられている。そのため、オイルダンパを設けた場合、オイルの粘性が高温の熱により変化し、経時的劣化の可能性が高い。そのため、ダンパの信頼性に問題がある。
【０００９】
また、ダンパを加熱室の側方に設置するため、加熱調理機の側方のスペースが必要で加熱調理機が大きくなるという不都合がある。
昨今、加熱調理機は、狭い占有スペースに設置することが要求されている。つまり、加熱調理機の設置スペースが幅狭であり、加熱調理機の側方に空間がとれない状況になりつつある。
【００１０】
本発明は上記実状に鑑み、ドア閉塞時のエネルギ(衝撃)の吸収が動作信頼性高く行え、コンパクトな加熱調理機の提供を目的とする。
【課題を解決するための手段】
【００１１】
上記目的を達成すべく、本発明に関わる加熱調理機は、収容された被加熱物が加熱される加熱室と、回転することで前記加熱室の開口部を開閉するドアと、前記ドアが閉塞するように弾性力を与える弾性部材と、前記加熱室より下方に配置され、前記ドアが閉塞する際のエネルギまたは衝撃を減衰する減衰部材と、前記ドアに回転自在に支持され、前記弾性部材による前記弾性力を受けるとともに、ガイド部材に案内され移動する第１部材と、回転自在に支持され、前記ドアが閉塞するに際して、前記第１部材の動作が伝達されるとともに前記減衰部材に当接して当該動作に抗する減衰力を受ける第２部材とを備え、前記ドアが前記開口部を閉塞するに際して、前記閉塞の動作に抗する前記減衰部材による前記減衰力を、前記第２部材と前記第１部材とを介して前記ドアに与えている。
【発明の効果】
【００１２】
本発明によれば、ドア閉塞時のエネルギ(衝撃)の吸収が動作信頼性高く行え、コンパクトな加熱調理機を実現できる。
【図面の簡単な説明】
【００１３】
【図１】本発明の実施形態の加熱調理機の内部構成を示す一部を切り欠いた斜視図。
【図２】加熱調理機のキャビネット内を向かって左側方から見たＡ方向矢視図。
【図３】加熱調理機のドアを閉めた状態のキャビネット内を向かって左側方から見たＡ方向矢視図。
【図４】加熱調理機のドアを閉める直前のダンパが利き始める状態のキャビネット内を向かって左側方から見たＡ方向矢視図。
【図５】(ａ)は左ドア支持部材を斜め前上方から見た斜視図、(ｂ)は(ａ)のＢ方向矢視図、(ｃ)は(ａ)のＣ方向矢視図。
【図６】(ａ)は左ローラの正面図、(ｂ)は左ローラの上面図、(ｃ)は左ローラの右側面図。
【図７】左ドアアームの斜視図。
【図８】(ａ)はドアアーム本体の正面図、(ｂ)はドアアーム本体の上面図。
【図９】(ａ)は摺動部材を一方向から見た斜視図、(ｂ)は摺動部材を他方向から見た斜視図。
【図１０】(ａ)はベルクランクの斜視図、(ｂ)はベルクランクのＤ方向矢視図、(ｃ)はベルクランクのＥ方向矢視図。
【図１１】(ａ)はダンパケースを斜め上方から見た斜視図、(ｂ)は(ａ)のＦ方向矢視図、(ｃ)は(ａ)のＧ方向矢視図。
【図１２】(ａ)はダンパを斜め上方から見た斜視図、(ｂ)は(ａ)のＨ方向矢視図。
【図１３】(ａ)はダンパをダンパケースに組み付けた状態を斜め上方から見た斜視図、(ｂ)は(ａ)のＨ方向矢視図、(ｃ)は(ｂ)のＩ−Ｉ断面図。
【図１４】図４のＬ方向矢視拡大図。
【図１５】加熱調理機を斜め後上方から見たキャビネット内を示す斜視図。
【発明を実施するための形態】
【００１４】
以下、本発明の実施形態について添付図面を参照して説明する。
図１は本発明の実施形態の加熱調理機の内部構成を示す一部を切り欠いた斜視図である。図２は図１の加熱調理機のキャビネット内を向かって左側方から見たＡ方向矢視図である。
【００１５】
実施形態の加熱調理機Ｋは、外装を成すキャビネット１内に設けられる加熱室２内に収容された被加熱物ｈを加熱し調理するものである。
加熱室２内の底面部には、被加熱物ｈを載置するためのテーブルプレート２ｔが設置されている。
加熱室２の側壁面外方には熱源のヒータ５(図２参照)が設けられ、加熱室２に向かって左手前下方には、マイクロ波源のマグネトロン３が設けられている。
【００１６】
加熱調理機Ｋでは、テーブルプレート２ｔに被加熱物ｈを載置して、マグネトロン３によるマイクロ波加熱での加熱調理と、ヒータ５によるオーブン加熱での加熱調理が行われる。このような加熱調理機Ｋは、ターンテーブルを備えないことからターンテーブルレス式オーブンレンジと称される。
加熱調理機Ｋの加熱室２の下方には機械室４が設けられている。
【００１７】
機械室４の内部には、マグネトロン３と、回転アンテナ３ｔ、回転アンテナ３ｔを回転させる図示しないモータ、制御基板などが収納されている。
マグネトロン３と回転アンテナ３ｔは、マイクロ波を発生させ、回転するマイクロ波をテーブルプレート２ｔの下方から被加熱物ｈに照射する。加熱室２内の被加熱物ｈはマイクロ波のエネルギを受けて加熱される。
【００１８】
制御基板(図示せず)は、被加熱物ｈの加熱パターンなどを制御するマイクロコンピュータと周辺回路とが搭載され、加熱調理機Ｋを統括的に制御する。
なお、本実施形態の加熱調理器Ｋは加熱室２の下部に機械室４を設けた構造であるが、機械室４は加熱室２の側方あるいは上方に配置してもよい。
【００１９】
＜閉塞動作アシスト減衰手段＞
図２に示すように、加熱調理機Ｋには、ドア１０が開口部Ｋ１(図１参照)を閉塞するのをアシストするとともに、閉塞時のエネルギ(衝撃)を吸収(減衰)する閉塞動作アシスト減衰手段を備えている。閉塞動作減衰アシスト手段は、左ドアアーム６と回転自在な左ローラ７と引張バネｓ１とベルクランク８とダンパ９とが、加熱室２の一方側の側方および側下方(図１では紙面左側)に設置されている。
ドア１０は、一方側(図１の左側)が左ドア支持部材１１に回動自在に支持されるとともに、他方側(図１の右側)が右ドア支持部材２１に回動自在に支持されている。
【００２０】
＜閉塞動作アシスト手段の概要＞
図３に加熱調理機のドアを閉めた状態のキャビネット内を向かって左側方から見たＡ方向矢視図を示し、図４に加熱調理機のドアを閉める直前のダンパが利き始める状態のキャビネット内を向かって左側方から見たＡ方向矢視図を示す。
以下、閉塞動作アシスト減衰手段の構成および動きについて説明する。
【００２１】
図２に示すように、左ドアアーム６は、その一方端部のドア係合部６ｉ(図７参照)がドア１０に回転自在に支持される一方、左ドアアーム６の他方端のバネ係合部６ｔに、引張バネｓ１の一方端部のフックｓ１ａが係合されている。引張バネｓ１の他方端部のフックｓ１ｂは左ドア支持部材１１の係合部１１ｓに係合されている。
【００２２】
一方、左ドアアーム６の中央下部は、左ローラ７の凹状の円周面７ｂ(図６参照)上に載置され円周面７ｂ上を摺動する。左ローラ７は、左ドア支持部材１１に回転自在に支持されるので、左ドアアーム６は、引張バネｓ１により後方(図２の左側)に引っ張られつつ回転自在の左ローラ７の円周面７ｂに円滑に抵抗少なく案内される。
【００２３】
左ドアアーム６は、ドア１０に対して引張バネｓ１による後方への引っ張り力を付与する。そして、左ドアアーム６は、ドア１０に回転自在に支持されるので、ドア１０の開閉動作(図３の矢印β０、図２の矢印α０)に応じて左ドアアーム６が、それぞれ図３の矢印β１、図２の矢印α１方向に移動する。
【００２４】
図２に示すように、ベルクランク８は、ねじｎ２を、折り返し部８ｊの支持孔８ｓ(図１０(ａ)参照)に挿通して左ドア支持部材１１の回動支軸孔１１ｂ(図５(ａ)参照)に螺着することで、左ドア支持部材１１に回動自在に支持されている。ベルクランク８は、左ドア支持部材１１に拘束されることなく(フリーで)回動自在に支持されている。ベルクランク８の重心は支持箇所である支持孔８ｓ(図１０(ａ)参照)(左ドア支持部材１１の回動支軸孔１１ｂ(図５(ａ)参照))よりも後方側に配置される。これにより、ベルクランク８は、後方側に自重で傾くこととなる。
【００２５】
ベルクランク８は、図３、図４に示すように、ドア１０の閉塞動作(矢印α０)の最終過程のみ一方端の被摺動部８ｈに左ドアアーム６の摺動部６Ｓが当接する。そして、ベルクランク８の重心が自身の支持箇所の支持孔８ｓよりも後方側に配置されることから、他方端の押圧部８ｏ(図１０(ｃ)参照))は、ベルクランク８の自重によりダンパ９のシリンダ９ｓの底板９ｓ１に当接する。
【００２６】
そのため、図２に示すように、ドア１０が所定以上開いた場合(例えば、ドア１０が図４の位置以上開いた場合)にも、ベルクランク８の他方端の押圧部８ｏはダンパ９のシリンダ９ｓの底板９ｓ１に当接した状態を保持する。一方、ベルクランク８の一方端の被摺動部８ｈは、左ドアアーム６の摺動部６Ｓから離隔する。
【００２７】
ダンパ９（ダンパ詳細は図１３参照）は、図４に示すように、軸部９ｊが下方になり、シリンダ９ｓがダンパケース９Ｃに案内されてダンパケース９Ｃが左ドア支持部材１１に固定される。また、ダンパ９のシリンダ９ｓから下方に突き出した軸部９ｊの当接部９ｊ１がダンパケース９Ｃの底板９ｃ３に当接し、左ドア支持部材１１に取り付けられている。
こうすることで、円筒状のシリンダ９ｓはダンパ嵌入孔９ｃ１によって直線状に摺働可能に保持されることで、シリンダ９ｓに嵌入されるピストン(図示せず)を有する軸部９ｊも有害な方向に働く力は発生しない構造となっている。
この構造とすることで、ベルクランク８の回転運動に伴うシリンダ９ｓを押す時の有害な横方向の動きを抑制している。
【００２８】
図３、図４に示すように、ドア１０が閉じられる際(図４の矢印α０)に、左ドアアーム６が後方に移動し(図４の矢印α１)、左ドアアーム６の摺動部材６Ｓがベルクランク８の被摺動部８ｈを後方に押圧する。すると、ベルクランク８は反時計回りに回転し(図４の矢印α２)、ベルクランク８の押圧部８ｏがシリンダ９ｓの底板９ｓ１を押してシリンダ９ｓを下方に押圧する(図４の矢印α３)。
【００２９】
これにより、ダンパ９のシリンダ９ｓが下方に移動し(図４の矢印α３)、ダンパケース９Ｃの底板９ｃ３(図１３(ｃ)参照)に当接した軸部９ｊのピストン(図示せず)がダンパケース９Ｃ内により大きく入り込んで、ダンパ９のオイルの粘性による減衰力が、引張バネｓ１によるドア１０が閉じられる方向の弾性力に抗して働く。
こうして、ドア１０が閉じられる際、引張バネｓ１の引っ張り力(弾性力)によるドア１０を閉じる力と、該引っ張り力(弾性力)に抗して働くダンパ９による減衰力により、ドア１０の閉まる方向への力が吸収(減衰)され静かに閉塞されることとなる。
【００３０】
以下、閉塞動作アシスト減衰手段を構成する各部材について説明する。
＜左ドア支持部材１１＞
図２に示すように、加熱室２の一方側の下側部には、ドア１０の支軸(図示せず)が設けられる左ドア支持部材１１が配置されている。
図５(ａ)に左ドア支持部材１１を斜め前上方から見た斜視図を示し、図５(ｂ)に図５(ａ)のＢ方向矢視図を示し、図５(ｃ)に図５(ａ)のＣ方向矢視図を示す。
左ドア支持部材１１は、長形の板金部品(プレス成型品)であり、加熱調理機Ｋの左下縁前部から左下縁中央後部に延在する形状をもつ。
【００３１】
左ドア支持部材１１は、取り付け部１１ｔが中央側に折り曲げて形成されている。
左ドア支持部材１１には、ドア１０の支軸を支持する軸孔１１ｄと、左ローラ７が支持される回転軸孔１１ｒと、引張バネｓ１が係合される係合部１１ｓと、ベルクランク８が支持される回動支軸孔１１ｂとが設けられている。回動支軸孔１１ｂには、ベルクランク８を支持するねじｎ２が螺着される雌ねじが螺刻されている。
【００３２】
左ドア支持部材１１には、ダンパ９が嵌入されるダンパケース９Ｃ(図１１参照)が固定される。
左ドア支持部材１１に折り曲げて形成される取り付け部１１ｔには、ダンパケース９Ｃの取り付け孔１１ｃが形成されており、取り付け孔１１ｃには、ダンパケース９Ｃを固定する雄ねじが螺着する雌ネジが螺刻されている。
【００３３】
この構成により、左ドア支持部材１１に、ドア１０と左ドアアーム６と左ローラ７とベルクランク８とダンパケース９Ｃとが支持される。従って、左ドア支持部材１１を介して、ドア１０と左ドアアーム６と左ローラ７とベルクランク８とダンパケース９Ｃとの相対的位置関係が常に一定となる。
【００３４】
そのため、ドア１０の位置を調整しても、ドア１０と左ドアアーム６と左ローラ７とベルクランク８とダンパケース９Ｃとが一体的に移動する。
これにより、ドア１０の位置調整による閉塞動作アシスト減衰手段の各部材の位置誤差が可及的に抑えられ、閉塞動作アシスト減衰手段の確実な動作を確保することができる。
【００３５】
＜左ローラ７＞
図２に示す左ローラ７は、左ドア支持部材１１のローラ支持孔１１ｒ(図５(ａ)参照)に回転自在に支持されている。
図６(ａ)に左ローラ７の正面図を示し、(ｂ)に左ローラ７の上面図を示し、(ｃ)に左ローラの右側面図を示す。
【００３６】
左ローラ７は、ポリアセタールなどの樹脂を用いて扁平な略ドーナツ形状に形成される。
左ローラ７の中央部には、左ローラ７を左ドア支持部材１１に回転自在に取り付けるための取り付け孔７ａが形成されている。そして、左ローラ７の外周部には、凹んで形成される外周面７ｂが幅の狭い円筒面形状に形成されている。左ローラ７の凹状の外周面７ｂには左ドアアーム６の下端縁６ｅ(図７参照)が載置され摺動する。
【００３７】
＜左ドアアーム６＞
図７に左ドアアーム６の斜視図を示す。
左ドアアーム６は、ドア１０を閉塞する際にドア１０を内側に引っ張る部材である。
図８(ａ)にドアアーム本体の正面図を示し、図８(ｂ)にドアアーム本体の上面図を示す。図９(ａ)に摺動部材を一方向から見た斜視図を示し、(ｂ)に摺動部材を他方向から見た斜視図を示す。
【００３８】
左ドアアーム６(図７参照)は、本体部のドアアーム本体６Ｈと、ドアアーム本体６Ｈに固定される摺動部材６Ｓとを有している。左ドアアーム６の摺動部材６Ｓは、ベルクランク８に当接して摺動することで、左ドアアーム６とベルクランク８とを連動させる。
【００３９】
左ドアアーム６は、ドア係合部６ｉがドア１０に回転自在に支持される一方、左ドアアーム６の他方端のバネ係合部６ｔには、引張バネｓ１の一方端部のフックｓ１ａ(図２参照)が係合される。また、左ドアアーム６の他方の固定部６ｂ(図８(ａ)参照)には摺動部材６Ｓが挿通孔６ｓ２を介してねじ止めで固定される。
【００４０】
ドアアーム本体６Ｈ(図８(ａ)、(ｂ)参照)は、板金部品(プレス成型品)であり、ドア係合部６ｉ、バネ係合部６ｔが形成され、固定部６ｂには、摺動部材６Ｓの取り付け孔６ｂ１が貫設されている。取り付け孔６ｂ１には、摺動部材６Ｓを取り付けるための雌ねじが螺刻されている。また、ドアアーム本体６Ｈは、下端縁６ｅに傾斜が急な閉塞案内部６ｅ１が形成されている。傾斜が急な閉塞案内部６ｅ１によりドアアーム本体６Ｈを介してドア１０を案内し、ドア１０が閉塞する際に、ユーザに自動的にドア１０が閉まるような感触を与えている。
【００４１】
摺動部材６Ｓ(図９参照)は、ポリアセタールなどで形成される樹脂成形品であり、左ドアアーム６とベルクランク８との連動に際しての摺動による磨耗を抑制し、連動を円滑にする。摺動部材６Ｓは、左ドアアーム６とベルクランク８との連動を円滑にし、磨耗を抑制できる材料であれば、ポリアセタール以外の他の材料を用いてもよい。
【００４２】
摺動部材６Ｓには、ベルクランク８の被摺動部８ｈに当接して摺動する摺動部６ｓ１が形成されている。摺動部材６Ｓの中央部には、摺動部材６Ｓを、ドアアーム本体６Ｈに取り付ける際にねじが挿通する挿通孔６ｓ２が形成されている。挿通孔６ｓ２は長穴で形成され、摺動部材６Ｓをドアアーム本体６Ｈにねじで固定する際に位置調整ができる構成とされている。
【００４３】
＜ベルクランク８＞
ベルクランク８は、板金部品(プレス成型品)であり、ドア１０が閉塞する際のエネルギ(衝撃)を吸収(減衰)してソフト(静かに)にドア１０の閉塞を行うための減衰力をドア１０に伝える部材である。
図１０(ａ)にベルクランク８の斜視図を示し、図１０(ｂ)にベルクランク８のＤ方向矢視図を示し、図１０(ｃ)にベルクランク８のＥ方向矢視図を示す。
【００４４】
ベルクランク８には、ドア１０が閉塞する際に摺動部材６Ｓが滑らかに摺動する当接面をもつ被摺動部８ｈが形成されている。
ベルクランク８の中央部には、折り返した折り返し部８ｊが形成され、ベルクランク８を左ドア支持部材１１に支持するための支持孔８ｓが貫設されている。ベルクランク８の他方端には、ドア１０が閉塞する際に粘性減衰力を付与するダンパ９を押圧するための押圧部８ｏが平面状に形成されている。
【００４５】
＜ダンパケース９Ｃ＞
図１１(ａ)にダンパケース９Ｃを斜め上方から見た斜視図を示し、図１１(ｂ)に図１１(ａ)のＦ方向矢視図を示し、図１１(ｃ)に図１１(ａ)のＧ方向矢視図を示す。
ダンパケース９Ｃは、ドア１０の閉塞動作のエネルギ(衝撃)を吸収(減衰)するダンパ９を左ドア支持部材１１に取り付けるための部材である。
【００４６】
ダンパケース９Ｃは、例えばポリアセタールなどの樹脂成形品であり、射出成形で成形されている。ダンパケース９Ｃには、ダンパ９が嵌入されるダンパ９の径より若干大きい径を有する有底円筒形状のダンパ嵌入孔９ｃ１が形成されている。また、ダンパケース９Ｃには、ダンパケース９Ｃを左ドア支持部材１１に取り付けるためのねじ貫通孔９ｃ２が段付き穴を有して形成されている。
【００４７】
＜ダンパ９＞
図１２(ａ)にダンパ９を斜め上方から見た斜視図を示し、図１２(ｂ)に図１２(ａ)のＨ方向矢視図を示す。
ダンパ９は、ドア１０の閉塞動作時のエネルギ(衝撃)をオイルの粘性で減衰するオイルダンパである。
【００４８】
ダンパ９は、円筒形状のシリンダ９ｓとシリンダ９ｓに嵌入されるピストン(図示せず)を有する軸部９ｊとを有している。軸部９ｊの先端部には、樹脂で形成された当接部９ｊ１が固着されている。
円筒形状のシリンダ９ｓの内部には、オイルと圧縮バネとが収納されている。オイルは、その粘性により粘性減衰力を付与する。圧縮バネは、軸部９ｊなどを元の位置に復帰させる。
【００４９】
＜ダンパ９の取り付け＞
図１３(ａ)にダンパ９をダンパケース９Ｃに組み付けた状態を斜め上方から見た斜視図を示し、図１３(ｂ)に図１３(ａ)のＩ方向矢視図を示し、図１３(ｃ)に図１３(ｂ)のＪ−Ｊ断面図を示す。なお、図１３(ｃ)においては、ダンパケース９Ｃ内は軸部９ｊのストロークを模式的示しており、ダンパケース９Ｃの内部構成は示していない。
ダンパ９は、ダンパケース９Ｃを介して、左ドア支持部材１１に取り付けられる。
【００５０】
ダンパ９のダンパケース９Ｃへの組み付けは、ダンパ９の軸部９ｊをダンパケース９Ｃのダンパ嵌入孔９ｃ１に嵌入することでダンパ９がダンパケース９Ｃに組み付けられる。
そして、ダンパ９が嵌入されたダンパケース９Ｃを、図２に示すように、ねじｎ１を、ねじ貫通孔９ｃ２を挿通して左ドア支持部材１１の取り付け孔１１ｃに螺着することで、ダンパケース９Ｃが左ドア支持部材１１に固定され、ダンパ９が取り付けられる。
【００５１】
＜他方側の閉塞動作アシスト手段＞
次に、加熱調理機Ｋの他方側(図１の紙面右側)に設けられる閉塞動作アシスト手段について説明する。
図１に示すように、ドア１０を閉じる際に閉塞動作をアシストする他方側の閉塞動作アシスト手段は、以下のように構成されている。
【００５２】
前記したように、ドア１０は、一方側(図１の紙面左側)が左ドア支持部材１１に回動自在に支持されるとともに、他方側(図１の紙面右側)が右ドア支持部材２１に回動自在に支持されている。
他方側の右ドア支持部材２１は、長形の板金部材(プレス成型品)であり、一方側の左ドア支持部材１１(図５(ａ)参照)と同様に、加熱室２の他方側の側下方にあって、側縁下方部において前方から後方にかけて延在されている。
【００５３】
他方側の閉塞動作アシスト手段は、ドア１０に取り付けられる右ドアアーム１６と、右ドアアーム１６を後方に引っ張る引張バネｓ２と、右ローラ１７とを有している。
右ローラ１７は、外周部に凹で形成される外周面を有しており、右ドア支持部材２１に回転自在に支持されている。
【００５４】
右ドアアーム１６は、一方端がドア１０に回転自在に支持され、他方端１６ａが引張バネｓ２の一方端のフックｓ２ａに係合されている。引張バネｓ２の他方端のフックｓ２ｂは、右ドア支持部材２１に係合されている。
右ドアアーム１６の央部は右ローラ１７の外周面１７ａ上に、引張バネｓ２で後下方に引っ張られつつ載置され摺動する。
【００５５】
これにより、右ドアアーム１６は引張バネｓ２で後下方に引っ張られるとともに、右ローラ１７の外周面１７ａに摺動自在に支持されて右ドアアーム１６の下縁部１６ｅがもつ形状に案内されて移動する。
上述の構成により、ドア１０は、閉塞動作に際して右ドアアーム１６を介して引張バネｓ２により閉じる方向への引っ張り力を受けて、閉塞動作がアシストされる。
【００５６】
＜ドア１０の閉塞動作＞
次に、ドア１０の閉塞動作について説明する。
ユーザは、加熱調理機Ｋで被加熱物ｈを加熱するに際して、図１に示すドア１０の取っ手１０ｔを把持して手前に引き、ドア１０を開ける。
そして、テーブルプレート２ｔの上に被加熱物ｈを載置する。
【００５７】
ユーザが調理を始めるため、取っ手１０ｔを把持して上に挙げてドア１０をはね上げるように回転させて(図１の矢印α０参照)閉めると、図４に示すように、ドア１の鉛直方向からの傾き角度θ１が第１の角度、例えば約１２度になると閉じる方向に、左ドアアーム６、右ドアアーム１６を介してそれぞれ引張バネｓ１、ｓ２の各引張り力により引き込みが開始される。
【００５８】
そして、傾き角度θ１が第２の角度、例えば約８度になると、左ドアアーム６の摺動部材６Ｓがベルクランク８の被摺動部８ｈを押圧して(図４の矢印α１)、ベルクランク８を反時計回りに回転(図４の矢印α２)させる。ベルクランク８の反時計回りの回転により、ベルクランク８の押圧部８ｏが下方に回転移動して、左ドア支持部材１１に固定されるダンパケース９Ｃ内に嵌入されるダンパ９のシリンダ９ｓを下方に向けて押圧する(図４の矢印α３)。シリンダ９ｓが下方に移動することで、ダンパ９により粘性減衰力が発生され、ベルクランク８の反時計回り(図４の矢印α２)の移動に抗する粘性減衰力が働く。
【００５９】
これにより、ベルクランク８、左ドアアーム６を介して、ドア１０の閉塞動作に抗する減衰力が働き、ドア１０の閉塞動作がソフトに行われる。
そして、ドア１０が減衰力を受けつつさらに閉塞されると、左ローラ７の外周面７ｂに左ドアアーム６の下端縁６ｅの傾斜が急な閉塞案内部６ｅ１(図７参照)が当接するとともに、右ローラ１７の外周面に右ドアアーム１６の傾斜が急な閉塞案内部(図示せず)が当接して、あたかもドア１０が自動的に引き込まれるような感触をユーザに与え、ドア１０が完全に開口部Ｋ１を閉塞して密着される。
【００６０】
＜ドア１０の開放動作＞
これに対して、ドア１０の開放動作は、ユーザが、図３の矢印β０に示すように、ドア１０の取っ手１０ｔを把持して手前に引く。
すると、左ドアアーム６が前方(矢印β１方向)に移動し、ベルクランク８が時計回り(矢印β２方向)に回転し、ダンパケース９Ｃが上方(矢印β３方向)に移動し、元の位置に復帰して、ドア１０が開放される(図１、図２参照)。この場合、ドア１０が所定角度以上開けられると、図２と同様に、左ドアアーム６とベルクランク８とは離隔する。
【００６１】
上記構成によれば、以下の効果を奏する。
１．図２に示すように、ダンパ９をドアバネの引張バネｓ１に対して、左ドアアーム６とは上下方向反対側の低い位置に設けている。詳細には、ダンパ９を、高温となる加熱室２から下方に離隔した底面板Ｋ２近傍かつ奥面板Ｋ３近傍であり、吸気口Ｋ２ａ(図１４参照)、ファン、風洞(ダクト)ｄｕ(図２参照)に近接して設けている。なお、図１４は、図４のＬ方向矢視拡大図である。
【００６２】
吸気口Ｋ２ａは、マグネトロン３(図２参照)を冷却するための空気を取り入れる口であり、風洞(ダクト)ｄｕは、ファンで吸引した冷却風をマグネトロン３に導く風洞である。
また、マグネトロン３(図２参照)を冷却するための冷却空気は風洞ｄｕを流れて(図１５の矢印γ１)マグネトロン３がある側下方から加熱室２の左側板２ｈがある側方の上に抜けて行く(図１５の矢印γ２)。そのため、ダンパ９の位置は、冷却空気の風上にある。なお、図１５は、加熱調理機Ｋを斜め後上方から見たキャビネット内を示す斜視図である。
これにより、ダンパ９の周囲は低温を維持でき、ダンパ９を常により低温状態とし、ダンパ９の温度変化が小さくできる。なお、ダンパ９に封入されるオイルは高温で粘性が低下し、低温で粘性が上昇する。
【００６３】
従って、加熱調理機Ｋの調理後の高温状態(例えば加熱時に加熱室２は約１１０℃になる)であっても、ダンパ９は低温状態を維持できるのでダンパ９のオイルの粘性の変化が抑えられ、閉塞エネルギ(衝撃)吸収効果を確保できる。例えば、オイルダンパであるダンパ９の使用温度範囲は、０〜８０℃であるため、ダンパ９のオイルの経時劣化が抑制される。
そのため、ダンパ９の信頼性が高く、もってドア１０の閉塞エネルギ(衝撃)吸収性能の信頼性が向上する。
【００６４】
２．ダンパ９を加熱室２の側方ではなく加熱室２より下方に配置したので、加熱調理機Ｋの横幅寸法ｙ１(図１参照)を抑えることができる。
【００６５】
３．また、左ドアアーム６とベルクランク８とを用いて、ドア閉時の左ドアアーム６の動作方向は水平方向とし、ダンパ９の動作方向は鉛直方向とし、左ドアアーム６の動作方向とダンパ９の動作方向とは異なる方向としている。
これにより、ダンパ９を略鉛直方向に沿って配置することが可能である。
【００６６】
すなわち、ダンパ９の軸部９ｊとシリンダ９ｓの一部がダンパケース９Ｃのダンパ嵌入孔９ｃ１に嵌入し、ダンパ９は自重でダンパ嵌入孔９ｃ１内に支持される。一方、ダンパ９の上方では、ベルクランク８の平面状の押圧部８ｏがベルクランク８の自重によりダンパ９のシリンダ９ｓの底板９ｓ１に当接し、下方に押圧する。
【００６７】
これにより、ダンパ９をダンパケース９Ｃのダンパ嵌入孔９ｃ１内に入れるのみで、ダンパ９の取り付けが可能である。
つまり、ダンパ９の取り付けは、ダンパ９の軸部９ｊからダンパケース９Ｃのダンパ嵌入孔９ｃ１内に入れるだけで上からベルクランク８の自重で抑えられるので、ダンパ９の組み立てが容易である。また、万一、ダンパ９の故障に伴いオイルが漏れた場合もダンパケース９Ｃの底板９ｃ３(図１１(ａ)参照)で受けることができる。
【００６８】
４．また、図１０(ｃ)に示すように、ベルクランク８において、
ドアアーム側腕長さｓ２＜ダンパ側腕長さｓ３          (１)
とすることにより、ドア１０の閉塞エネルギ(衝撃)吸収範囲において、
左ドアアーム６の動作量＜ダンパ９の動作量            (２)
を実現した。これにより、モーメントの関係によりダンパ９の減衰力が弱くても減衰効果を得られる。
【００６９】
一般に、弱いダンパ９の方が信頼性は高い。また、ダンパ９の減衰力を与えた後の復帰動作も自身の減衰力が弱いので短時間で済む。加えて、(１)式、(２)式の右辺を大きくすることで、ダンパ９が効き始めるドア１０の角度を拡大し、早めにダンパ９が効き始めることが可能であり、閉塞エネルギ(衝撃)吸収効果が高い。
【００７０】
５．また、左ドアアーム６の後端であってベルクランク８との当接箇所に樹脂製の摺動部材６Ｓを設けたので、左ドアアーム６の後端の磨耗およびベルクランク８の被摺動部８ｈの磨耗が抑制される。
【００７１】
６．また、ドア１０、左ローラ７、左ドアアーム６、ベルクランク８、およびダンパ９を収納したダンパケース９Ｃを、一つの部材の左ドア支持部材１１で支持する構成としたので、これらを一体で移動することができる。そのため、ドア１０の位置を調整しても、左ローラ７、左ドアアーム６、ベルクランク８、およびダンパ９の相対位置関係が一定であり、ドア１０の閉塞時のエネルギ(衝撃)吸収(減衰)性能が安定し、その動作信頼性が高い。また、ドア１０の閉塞時のエネルギ(衝撃)吸収機構の調整が不要である。
【００７２】
以上のことから、ドア１０の閉塞時のエネルギ(衝撃)の吸収(減衰)が動作信頼性高く行え、コンパクトな(占有スペースが少なく済む)加熱調理機Ｋを提供できる。
【００７３】
＜＜その他の実施形態＞＞
１．なお、本発明は、加熱調理機Ｋ以外の被加熱物ｈが載置されたテーブルが回転するターンテーブル式オーブンレンジやマイクロ波加熱のみができる単機能電子レンジ、あるいはヒータによる加熱のみを行う電気オーブンなどの加熱調理機にも同様に適用できる。さらに、被加熱物ｈの出し入れをドア開閉手段によって行う構成であれば、電気式には限らず、ガス式など他の加熱調理機への適用も可能である。
【００７４】
２．前記実施形態では、ダンパ６としてオイルダンパを挙げて説明したが、例えば、粘性が高い流体を封入したダンパ、摩擦抵抗で減衰させるダンパなどオイルダンパ以外のダンパを使用してもよい。
【００７５】
３．前記実施形態では、左ドアアーム６に摺動部材６Ｓを設け、左ドアアーム６が摺動部材６Ｓを介してベルクランク８と当接する構成を例示したが、摺動部材６Ｓを左ドアアーム６に設けず、ベルクランク８の左ドアアーム６との当接箇所に摺動部材を設ける構成としてもよい。
【００７６】
４．前記実施形態では、ダンパ９を含む減衰機構を加熱調理機Ｋの一方側部に設けた場合を例示したが、一方側部に代えて加熱調理機Ｋの他方側部に設けてもよい。或いは、ダンパ９を含む減衰機構を加熱調理機Ｋの両側部に設けてもよい。
【００７７】
５．前記実施形態では、ガイド部材として、左ローラ７を左ドア支持部材１１に回転自在に設けた場合を例示したが、ガイド部材として、軸受け様のものを採用して、左ドア支持部材１１に固定されるが、左ドアアーム６に当接する箇所のみ回転するものとしてもよい。また、摩擦係数が低く、磨耗が問題にならないものであれば、ガイド部材は必ずしも、回転しなくてもよい。しかし、説明した左ローラ７は構成が簡単で、動作信頼性が高く、かつコストが低く済むので最も望ましい。
【００７８】
なお、本発明は前記した実施形態に限定されるものでなく、様々な実施形態が含まれる。例えば、上記した実施形態は本発明を分り易く説明したものであり、必ずしも説明した全ての構成を備えるものに限定されるものではない。例えば、説明した構成の一部を含むものであってもよい。
【００７９】
また、ある実施形態のうちの一部の構成を他の実施形態の構成に置き換えることが可能であり、また、ある実施形態の構成に他の実施形態の構成を加えることも可能である。また、各実施形態の構成の一部について、他の構成の追加・削除・置換をすることも可能である。
【符号の説明】
【００８０】
２      加熱室
３      マグネトロン(加熱部)
６      左ドアアーム(第１部材)
６Ｓ    摺動部材
７      左ローラ(ガイド部材)
８      ベルクランク(第２部材)
８ｓ    支持孔(支持位置)
９      ダンパ(減衰部材)
９ｓ    シリンダ(シリンダ部)
９ｊ    軸部
１０    ドア
１１    左ドア支持部材(支持部材)
ｄｕ    風洞
ｈ      被加熱物
Ｋ      加熱調理機
Ｋ１    開口部
ｓ１    引張バネ(弾性部材)
【図１】
2015203522.tif 000003
【図２】
2015203522.tif 000004
【図３】
2015203522.tif 000005
【図４】
2015203522.tif 000006
【図５】
2015203522.tif 000007
【図６】
2015203522.tif 000008
【図７】
2015203522.tif 000009
【図８】
2015203522.tif 000010
【図９】
2015203522.tif 000011
【図１０】
2015203522.tif 000012
【図１１】
2015203522.tif 000013
【図１２】
2015203522.tif 000014
【図１３】
2015203522.tif 000015
【図１４】
2015203522.tif 000016
【図１５】
2015203522.tif 000017